(57)【要約】      （修正有）【課題】従来の着物の着付けには高度な技術を必要とし普段から着物に馴染むには困難を要している為、上着と下着が分離している簡単にきれいに着れる着物の提供。【解決手段】この分離着物の上衣身頃は中心線2と平行の後幅の脇を後身頃34から前身頃37まで一直線で裁断し、一直線とした脇線5から外れ前身頃全体が傾斜した形になっている、後脇、前脇の縫着位置を縫着すると傾斜した前身頃の裾は水平になり前襟部が上がり後ろへと抜け理想とする襟の形ができあがる、又肩山20からおはしょりまでを着丈とした事から洋服の上着の感覚で着れる事を特徴とする分離着物の上位身頃及び上位と下位の分離着物。【選択図】図２
2010163732.tif 000002
【特許請求の範囲】
【請求項１】
分離着物の上衣身頃において、肩山からおはしょりまでを着丈とした裾部を基準とし、原型の前身頃の裾部を仮前裾部として、
後裾中央から背中央を通し仮前裾部までの直線を中心線とし、後裾中央から後裾脇交点までの後幅裾部を後裾線とし、後裾脇交点から中心線と平行に通した直線を基準脇線とし、中心線の中央から基準脇線の中央までを肩線とし、肩線と中心線と基準脇線と直角に交わった後裾線で囲まれた範囲を後身頃本体とし、仮前裾中央から仮前裾脇交点までを基準前裾線とし、肩線と中心線と基準脇線と直角に交わった基準前裾線で囲まれた範囲を前身頃の基盤とし、上記形態を原型としてこの原型を元にする身頃であって、
前身頃の基盤の仮前裾脇交点から襟抜き分と胸囲厚み分を足した分量の寸法を、基準前裾線上外部に延長し、延長した位置と基準脇線の中央を結ぶ線を傾斜線とし、傾斜線上の前袖付け止まりと、後身頃本体の基準脇線上の後袖付け止まりを結ぶ線を袖付け位置線とし、この袖付位置線の中央を袖付け中心とし、
肩線上の襟肩明から袖付け中心までを肩山とし、後身頃本体の後裾脇交点から基準脇線上の後袖付止まりを経て袖付け中心までの寸法の線を後脇線とし、袖付け中心から前袖付け止まりを経た傾斜線上に後脇線と同寸法とした実前裾脇交点までの線を前脇線とし、実前裾脇交点から傾斜線に対して直角にひいた線を前裾線とし、実前裾脇交点から前裾線上の実前裾中央にあいづま幅を足した前幅裾部の先端と襟肩明を結ぶ線を前襟線とし、着丈とした後裾線及び前裾線それぞれに腰上げ幅を足し、肩山から両腰上げ幅の裾までを身丈とし、この身丈裾部を後身丈裾線、前身丈裾線とし、
袖付け中心から後脇線の身丈裾部までを後脇丈とし、背中央から肩山と後脇丈と後身丈裾線に囲まれた範囲を後身頃とし、袖付け中心から前脇線の身丈裾部までを前脇丈、襟肩明から前襟線の身丈裾部までを前丈とし、肩山と前丈と前脇丈と前身丈裾線に囲まれた範囲を前身頃とした事を特徴とする分離着物の上衣身頃。
【請求項２】
請求項１記載の上衣身頃において更に着丈下の腰上げ幅は着丈を調節する幅となっており、調節し折り返し纏りつける際、基準脇線と直角に交わった後裾線とした事と、実前裾脇交点から傾斜線に対して直角に引いた線を前裾線とした事で後脇、前脇の縫着位置を縫着すると右前端から左前端までの身頃の幅と返し分が一致し、同じ幅で纏れる事を特徴とする分離着物の上衣身頃。
【請求項３】
請求項１又は２記載の上衣身頃を含む分離着物において、上衣身頃に襟と袖を縫着し仕上げた上衣に下衣を組み合わせることを特徴とする上衣と下衣の分離着物。
【請求項４】
請求項１又は２記載の分離着物の上衣身頃において、前身頃の基盤の仮前裾脇交点から襟抜き分と胸囲厚み分を足した分量の寸法を基準前裾線上外部に延長し、延長した位置と基準脇線の中央を結ぶ線を傾斜線とし、実前裾脇交点から傾斜線に対して直角に引いた線を前裾線としたので、洋服地で制作する事を特徴とする分離着物の上衣身頃。
【発明の詳細な説明】
【技術分野】
【０００１】本発明は、分離着物の上衣身頃及び上衣と下衣の分離着物に関して。
【背景技術】
【０００２】  従来の着物の長着の製作方法では幅３７ｃｍほどの反物に「身長」の身丈の長さを背中央を通る中心線と平行の後幅の脇を後身頃から前身頃まで一直線で裁断し、後身頃には襟付け込みから襟肩あきまでの襟ぐりをあけ、前身頃には前中心におくみを付け、襟肩あきからあいづま幅までを傾斜させ、後襟繰りから前あいづま幅までの襟付け位置に襟を縫着し袖付け位置に袖を縫着し制作する（例えば非特許文献１参照。）。【０００３】  また着付けにおいては、この長着を前身頃の腰辺りの左右両端を持ち、足元が細くなるよう引き上げ「腰上げ」をし、腰紐で安定させ、前襟部を後ろに抜き、襟の形成をする、そしておはしょりを整え、紐で安定させ着付ける、この着付けは素人では難しくプロの着付け師により着付けがされている、そして着付け師による要因を挙げてみると、襟足から１０ｃｍ前後の襟抜きをすると、女性のうなじが一番美しく見える位置となり、足元の裾が広がらないよう、腰から下を細くするよう着付けるのが理想とされる。【０００４】  上記長着を分離させ、セパレート式着物として提供しているものもある（例えば特許文献参照。）。
【特許文献１】特開平７−４８７０４
【非特許文献１】１８６５「写真とイラストで解説  ゆかた＆甚平」株式会社ブティック社
【発明の開示】
【発明が解決しようとする課題】
【０００５】  上記述べた従来の着物の着付けには高度な技術を要求し、普段から着物に馴染むには困難を要している。上記困難を解決するために長着を着付ける工程を分析した結果、身頃の状態は前襟部を上げ、後襟部が下がると前身頃の胸元で重ねた前丈は短くなり、後中央部の後ろ丈は長くなる、身頃の脇部は前中心方向へと引き寄せられ腰上げをしておはしょりを作る。この分析により、上記工程の逆の発想で取り入れ設計したのが、本発明の分離着物の上衣身頃及び上衣と下衣の分離着物である。この分離着物の上衣身頃は中心線と平行の後幅の脇を後身頃から前身頃まで一直線で裁断し、とある製作方法とは大きく逸脱しており一直線とした脇線から外れ前身頃全体が傾斜した形になっている、後脇、前脇の縫着位置を縫着すると傾斜した前身頃の裾は水平になり前襟部が上がり後ろへと抜け理想とする襟の形ができあがる、又肩山からおはしょりまでを着丈とした事から洋服の上着の感覚で着れる事を特徴とする画期的発明といえる。
【課題を解決するための手段】
【０００６】そして本発明は上記目的を達成するために、分離着物の上衣身頃において、肩山からおはしょりまでを着丈とした裾部を基準とし、原型の前身頃の裾部を仮前裾部として、後裾中央から背中央を通し仮前裾部までの直線を中心線とし、後裾中央から後裾脇交点までの後幅裾部を後裾線とし、後裾脇交点から中心線と平行に通した直線を基準脇線とし、中心線の中央から基準脇線の中央までを肩線とし、肩線と中心線と基準脇線と直角に交わった後裾線で囲まれた範囲を後身頃本体とし、仮前裾中央から仮前裾脇交点までを基準前裾線とし、肩線と中心線と基準脇線と直角に交わった基準前裾線で囲まれた範囲を前身頃の基盤とし、上記形態を原型としてこの原型を元にする身頃であって、
前身頃の基盤の仮前裾脇交点から襟抜き分と胸囲厚み分を足した分量の寸法を、基準前裾線上外部に延長し、延長した位置と基準脇線の中央を結ぶ線を傾斜線とし、傾斜線上の前袖付け止まりと、後身頃本体の基準脇線上の後袖付け止まりを結ぶ線を袖付け位置線とし、この袖付位置線の中央を袖付け中心とし、
肩線上の襟肩明から袖付け中心までを肩山とし、後身頃本体の後裾脇交点から基準脇線上の後袖付止まりを経て袖付け中心までの寸法の線を後脇線とし、袖付け中心から前袖付け止まりを経た傾斜線上に後脇線と同寸法とした実前裾脇交点までの線を前脇線とし、実前裾脇交点から傾斜線に対して直角にひいた線を前裾線とし、実前裾脇交点から前裾線上の実前裾中央にあいづま幅を足した前幅裾部の先端と襟肩明を結ぶ線を前襟線とし、着丈とした後裾線及び前裾線それぞれに腰上げ幅を足し、肩山から両腰上げ幅の裾までを身丈とし、この身丈裾部を後身丈裾線、前身丈裾線とし、
袖付け中心から後脇線の身丈裾部までを後脇丈とし、背中央から肩山と後脇丈と後身丈裾線に囲まれた範囲を後身頃とし、袖付け中心から前脇線の身丈裾部までを前脇丈、襟肩明から前襟線の身丈裾部までを前丈とし、肩山と前丈と前脇丈と前身丈裾線に囲まれた範囲を前身頃とした事を特徴とした物である。【０００７】また第２の課題解決手段は、上衣身頃において更に着丈下の腰上げ幅は着丈を調節する幅となっており、調節し折り返し纏りつける際、基準脇線と直角に交わった後裾線とした事と、実前裾脇交点から傾斜線に対して直角に引いた線を前裾線とした事で後脇、前脇の縫着位置を縫着すると右前端から左前端までの身頃の幅と返し分が一致し、同じ幅で纏れる事を特徴としたものである。
【発明の効果】
【０００８】上述したように本発明の分離着物上衣身頃に襟と袖を縫着し仕上げた上衣に下衣を組み合わせると高度な技術を要することなく簡単に着られ、尚且つ、本発明の身頃本体には着付け時の工程を組み込んだ設計としたことからプロの着付けが実現できる事と、洋服地での製作となっていることから気軽に購入でき、上下別布で組み合わせることも出来、着る人のセンスで楽しむことも出来る。また既製服同様、既製着物として提供することも出来る。更に、窮屈感がなく長時間着ていても着崩れることがない、また乱れても簡単に直せる着物を提供するものである。
【発明を実施するための最良の形態】
【０００９】本発明の実施の形態について図面を参照にして説明すると図１図２は片面の図になっている、図１において、肩山からおはしょりまでを着丈とした裾部を基準とし、原型の前身頃の裾部を仮前裾部として、
後裾中央１から背中央を通し仮前裾部までの直線を中心線２とし、後裾中央１から後裾脇交点３までの後幅裾部を後裾線４とし、後裾脇交点３から中心線２と平行に通した直線を基準脇線５とし、中心線２の中央６から基準脇線５の中央７までを肩線８とし、肩線８と中心線２と基準脇線５と直角に交わった後裾線４で囲まれた範囲を後身頃本体９とし、仮前裾中央１０から仮前裾脇交点１１までを基準前裾線１２とし、肩線８と中心線２と基準脇線５と直角に交わった基準前裾線１２で囲まれた範囲を前身頃の基盤１３とし、上記形態を原型としてこの原型を元にする身頃とした。【００１０】図２において、この原型を元に本発明の身頃において、前身頃の基盤の仮前裾脇交点１１から襟抜き分と胸囲厚み分を足した分量の寸法１４を、基準前裾線１２上外部に延長し、延長した位置１５と基準脇線５の中央７を結ぶ線を傾斜線とし、傾斜線上の前袖付け止まり１６と、後身頃本体９の基準脇線５上の後袖付け止まり１７を結ぶ線を袖付け位置線とし、この袖付位置線の中央を袖付け中心１８とし、
肩線上の襟肩明１９から袖付け中心１８までを肩山２０とし、後身頃本体の後裾脇交点３から基準脇線５上の後袖付止まり１７を経て袖付け中心１８までの寸法の線を後脇線２１とし、袖付け中心１８から前袖付け止まり１６を経た傾斜線上に後脇線２１と同寸法とした実前裾脇交点２２までの線を前脇線２３とし、実前裾脇交点２２から傾斜線に対して直角にひいた線を前裾線２４とし、実前裾脇交点２２から前裾線２４上の実前裾中央２５にあいづま幅２６を足した前幅裾部の先端２７と襟肩明１９を結ぶ線を前襟線２８とし、着丈とした後裾線４及び前裾線２４それぞれに腰上げ幅（後幅２９、前幅３０）を足し、肩山２０から両腰上げ幅の裾までを身丈とし、この身丈裾部を後身丈裾線３１、前身丈裾線３２とし、
袖付け中心１８から後脇線２１の身丈裾部までを後脇丈３３とし、背中央から肩山２０と後脇丈３３と後身丈裾線３１に囲まれた範囲を後身頃３４とし、袖付け中心１８から前脇線２３の身丈裾部までを前脇丈３５、襟肩明１９から前襟線２８の身丈裾部までを前丈３６とし、肩山２０と前丈３６と前脇丈３５と前身丈裾線３２に囲まれた範囲を前身頃３７とした。【００１１】図３において、図３Ａの後脇丈３３の袖付け止まり１７から身八つ口とし、その下から裾までを後脇の縫着位置３８とし、前脇丈３５の袖付け止まり１６から身八つ口とし、その下から裾までを前脇の縫着位置３９とする、後脇の縫着位置３８と前脇の縫着位置３９を縫着すると、図３Ｂの前身頃は前中心寄りに引き寄せられ、裾は水平になる、襟抜き分４０が上がり、図３Ｃの身頃に襟抜きとおはしょりを作る工程が出来上がる、腰上げ幅は着丈を調節する幅となっており、調節した後折り返すこの返し分は襟を縫着したのち襟とともに折り返す。【００１２】図４ＤとＥにおいて、図４Ｄは返し分を纏りつける際、基準脇線と直角に交わった後裾線とした事と、実前裾脇交点から傾斜線に対して直角に引いた線を前裾線とした事で後脇、前脇の縫着位置を縫着すると右前端４１から左前端４２までの身頃の幅と返し分が一致し、同じ幅で纏れる。図４Ｅは本発明の上衣身頃に襟と袖を縫着し仕上げた上衣に下衣を組み合わせ着つけた分離着物の仕上がり図。【００１３】上衣と下衣の分離着物において、肩山からおはしょりまでを着丈とした事と身頃の幅は日本人女性の平均的身長と体型をもとに割り出しフリーサイズで着られるよう設計した事と、幅はいいが、長さだけをもう少し出したい、またはもう少し短くしたい、という長さ調節が出来る身丈とし、着丈下の腰上げ幅を１０ｃｍと設定した、下衣においても上衣同様、丈を調節できるよう工夫した事と、従来の着物用反物の幅は３７ｃｍほど、洋服地の幅は平均１１０ｃｍで後裾中央から背中央を通し仮前裾部までの直線を中心線とし、後裾脇交点から中心線と平行に通した直線を基準脇線とした原型は、通常の反物での裁ち方とすると、本発明の前身頃は前身頃の基盤の仮前裾脇交点から襟抜き分と胸囲厚み分を足した分量の寸法を基準前裾線上外部に延長し、延長した位置と基準線の中央を結ぶ線を傾斜線とし、実前裾脇交点から傾斜線に対して直角に引いた線を前裾線とした事から前襟部に襟抜分が入った長さの前襟線となり着用する際、前襟部が上がり後ろへと抜け、理想とする襟の形が出来上がるよう設計した事から着物用反物の幅を超える形態となっている、よって、洋服地で製作することを特徴とし、また洋服地で製作することにより気軽に購入出来、上下別布で組み合わせることも出来、着る人のセンスで楽しむことも出来る。また、既製服同様既製着物として提供することも出来る、更に、本発明の型紙をもとに襦袢を作り、着物の下に着用すれば、なお一層プロの着付けが実現できる着姿となる。その他広い用途で使えることを特徴とする。
なお、本発明は、なんら上記実施例に限定されるものではない。例えば、以下のようなものも含まれる。
（１）前記実施例で示した寸法等は一例であり、例えば、基準線の「中央」といっても概略中央であればよい。
【図面の簡単な説明】
【００１４】
【図１】本発明の身頃の原型を示す片面の図
【図２】本発明の身頃の原型を元に発明した製図を示す片面の図
【図３】上衣身頃の製法を示す図
【図４】上衣身頃に襟と袖を縫着し仕上げた図
【符号の説明】
【００１５】        襟抜き分と胸囲厚み分１４
前脇線２３              前裾線２４          前襟線２８
腰上げ幅（前幅）３０    前身丈裾線３２      前脇丈３５
前丈３６
【図１】
2010163732.tif 000003
【図２】
2010163732.tif 000004
【図３】
2010163732.tif 000005
【図４】
2010163732.tif 000006